(57)【要約】【課題】  複数の火災感知器回線に接続され、上記各火災感知器回線を介して、スイッチング動作によって火災信号を出力する火災感知器から、上記火災信号を受信する火災信号受信手段を具備する火災報知設備において、火災感知器が伝送信号を送信する場合、火災受信機が、伝送信号であるパルスのタイミングを取ることが容易である火災感知器、火災受信機および火災報知設備を提供することを目的とするものである。【解決手段】  アドレス付きの火災感知器から、アドレス情報を取得することができるＰ型の火災報知設備において、火災受信機が火災信号を受信したときに、火災感知器を復旧させる動作を行い、この復旧動作のタイミングを基準として、火災感知器から、伝送信号によってアドレス情報を取得する。【選択図】  図１
2006285502.tif 000002
【特許請求の範囲】
【請求項１】
火災現象を検出する火災検出手段と；
上記火災検出手段が火災現象を検出すると、スイッチング動作によって火災信号を出力する火災信号送信手段と；
上記火災信号送信手段が火災信号を送信した後に、火災受信機から火災復旧信号を受信したら、火災信号を送信した自己の火災感知器を特定する火災感知器特定信号を送出する火災感知器特定信号送出手段と；
を有することを特徴とする火災感知器。
【請求項２】
複数の火災感知器回線と；
上記複数の火災感知器回線に接続されている火災受信機と；
火災検出手段が火災現象を検出すると、スイッチング動作によって火災信号を出力する火災信号送信手段と、上記火災信号送信手段が火災信号を送信し、火災受信機から火災復旧信号を受信したら、火災信号を送信した自己の火災感知器を特定する火災感知器特定信号を送出する火災感知器特定信号送出手段とを具備する火災感知器と；
を有することを特徴とする火災報知設備。
【請求項３】
複数の火災感知器回線に接続され、上記各火災感知器回線を介して、スイッチング動作によって火災信号を出力する火災感知器から、上記火災信号を受信する火災信号受信手段を具備する火災報知設備において、
上記火災信号を受信した後に、上記火災感知器に火災復旧信号を送信する火災復旧信号送信手段と；
上記火災復旧信号を送信した後に、上記火災信号を送信した火災感知器を特定する火災感知器特定信号を、火災受信機に返送するように指令するコマンドを送信するコマンド送信手段と；
を有することを特徴とする火災受信機。
【請求項４】
複数の火災感知器回線に接続され、上記各火災感知器回線を介して、スイッチング動作によって火災信号を出力する火災感知器から、上記火災信号を受信する火災信号受信手段を具備する火災報知設備において、
上記火災信号を受信した後に、上記火災感知器に火災復旧信号を送信する火災復旧信号送信手段と、上記火災復旧信号を送信した後に、上記火災信号を送信した火災感知器を特定する火災感知器特定信号を、火災受信機に送信するように指令する送信指令コマンドを送信するコマンド送信手段とを有する火災受信機と；
自己が火災信号を送信した場合には、上記送信指令コマンドに応答して、自己の火災感知器を特定する火災感知器特定信号を送信する火災感知器と；
を有することを特徴とする火災報知設備。
【発明の詳細な説明】
【技術分野】
【０００１】
本発明は、Ｐ型システムの火災感知器において、アドレスを有する火災感知器に関する。
【背景技術】
【０００２】
Ｐ型のシステムにおいて、発報した火災感知器の固有アドレスを取得するシステムが開示されている（たとえば、特許文献１参照）。そして、発報した火災感知器の固有アドレスを、火災受信機が取得する場合、伝送信号を用い、情報を示すビットには、電流の変調を用い、また、火災感知器側がタイミングを取って、上記ビットに対応する電流値を制御し、火災受信機は、サンプリングクロックのタイミングに基づいて得られるディジタル信号から、９個の論理１系列「１１１１１１１１１」が得られたときに、火災信号として検知し、続く７ビットの情報から、火災感知器のアドレスを認識する。
【０００３】
このように、火災感知器側のタイミングで伝送信号を送信する場合、多数の火災感知器を用いるためには、それぞれの火災感知器が同じスピードで送信する必要があり、マイコンのクロック数等の精度が要求される。
【０００４】
また、伝送信号として、信号線の電圧を変調させてパルスを形成する場合には、信号線の長さによってパルス波形がなまるので、正確に信号を認識するには、火災受信機と火災感知器との間で伝送のタイミングをきちんと合わせることが重要である。
【特許文献１】特開２００３−０９９８６９号公報
【発明の開示】
【発明が解決しようとする課題】
【０００５】
Ｐ型システムに、自動試験機能のためのアドレスを有するシステムでは、Ｃ線およびＬ線の一対の電源兼信号線を介して伝送を行う。
【０００６】
そして、自動試験の動作として、火災受信機は、Ｃ−Ｌ間電圧を、Ｈｉ／Ｌｏレベルに変化させコマンドを送出し、このコマンドによって指定されたアドレスを有する火災感知器が応答し、所定の制御動作を行う。また、火災感知器は、火災を検出すると、一般のＰ型システムと同様に、Ｃ−Ｌ間をＬｏレベル保持状態とし、回線単位で、発報信号を火災受信機に送出する。
【０００７】
しかし、上記のようなシステムにおいて、個々の火災感知器から自動試験機能の結果を収集できるが、火災受信機は、火災感知器回線に接続されている複数の火災感知器のうちで、どの火災感知器が火災発報したかを認識することができないという問題がある。
【０００８】
また、Ｌ０レベルを電圧で２通り以上に区分し、Ｌ０レベルからさらに回線電圧を下げた状態とで伝送を行う方法も考案されているが、回線電圧をスイッチングさせる回路が複雑になるという欠点がある。
【０００９】
つまり、従来のＰ型火災感知器では、回線電圧をスイッチングしてＬｏレベルにすることによって、火災信号を火災受信機に送出するが、上記Ｌｏレベルの状態では、火災感知器が伝送することができず、火災信号を送出した火災感知器が、自己アドレスを火災受信機に送信することができないという問題がある。
【００１０】
本発明は、複数の火災感知器回線に接続され、上記各火災感知器回線を介して、スイッチング動作によって火災信号を出力する火災感知器から、上記火災信号を受信する火災信号受信手段を具備する火災報知設備において、火災感知器が伝送信号を送信する場合、火災受信機が、伝送信号であるパルスのタイミングを取ることが容易である火災感知器、火災受信機および火災報知設備を提供することを目的とするものである。
【課題を解決するための手段】
【００１１】
本発明は、アドレス付きの火災感知器から、アドレス情報を取得することができるＰ型の火災報知設備において、火災受信機が火災信号を受信したときに、火災感知器を復旧させる動作を行い、この復旧動作のタイミングを基準として、火災感知器から、伝送信号によってアドレス情報を取得する。
【発明の効果】
【００１２】
本発明によれば、火災受信機の復旧動作を、火災受信機と火災感知器との間におけるタイミングの基準とするので、火災感知器が伝送信号を送信する場合、火災受信機が送信する伝送信号を示すパルスのタイミングを取ることが容易であるという効果を奏する。
【発明を実施するための最良の形態】
【００１３】
発明を実施するための最良の形態は、以下の実施例である。
【実施例１】
【００１４】
図１は、本発明の実施例１であるＰ型システムＰＳ１を示す図である。
【００１５】
Ｐ型システムＰＳ１は、複数の火災感知器回線に接続され、各火災感知器回線を介して、スイッチング動作によって火災信号を出力する火災感知器から、上記火災信号を受信する火災信号受信手段を具備する火災報知設備であり、火災受信機ＲＥ１と、回線Ｃと、Ｌ１〜Ｌｎと、火災現象を検出するとスイッチング動作によって火災信号を出力するアドレス付き火災感知器ＳＥ１、一般の火災感知器ＳＥ２とを有する。
【００１６】
なお、アドレス付き火災感知器ＳＥ１は、自己のアドレスを保持しているＰ型の火災感知器であり、一般の火災感知器ＳＥ２は、自己のアドレスを保持していないＰ型の火災感知器である。
【００１７】
Ｐ型システムＰＳ１では、１台の火災受信機ＲＥ１に、複数のアドレス付き火災感知器ＳＥ１と、一般の火災感知器ＳＥ２と、Ｐ型発信器Ｔ１とが接続されている。
【００１８】
各火災感知器ＳＥ１、ＳＥ２は、火災受信機ＲＥ１から電源が供給され、煙濃度や周辺温度等の物理量を計測し、これによって、火災監視を行う。なお、各火災感知器ＳＥ１、ＳＥ２は、設置場所等の関係から選択的に必要なものが設置される。
【００１９】
図２は、火災受信機ＲＥ１を示すブロック図である。
【００２０】
火災受信機ＲＥ１は、電源部１１と、信号送信回路１２と、信号受信回路１３と、火災検出回路１４と、断線検出回路１５と、制御回路１６と、メイン制御部１７と、表示操作部１８とを有する。
【００２１】
そして、電源兼信号線が接続されるコモン端子Ｃと複数のライン端子Ｌ１〜Ｌｎとを備え、コモン端子Ｃと複数のライン端子Ｌ１〜Ｌｎとに接続されている回線に、複数のアドレス付き火災感知器ＳＥ１、一般の火災感知器ＳＥ２が接続されている。つまり、端子Ｃと端子Ｌ１〜Ｌｎとの間で、各回線が構成され、それぞれの端末部分に終端器が配置されている。そして、火災受信機ＲＥ１内のブロック構成のうち、回線毎に、信号送信回路１２と、信号受信回路１３と、火災検出回路１４と、断線検出回路１５と、制御回路１６とが配置され、端子Ｌ１〜Ｌｎ毎に配置されている。
【００２２】
ここで、端子Ｌ１〜Ｌｎに設けられた制御回路１６は、火災信号を受信した後に、火災感知器に火災復旧信号を送信する火災復旧信号送信手段の例であり、また、信号送信回路１２は、火災復旧信号を送信した後に、火災信号を送信した火災感知器を特定する火災感知器特定信号を、火災受信機に返送するように指令するコマンドを送信するコマンド送信手段の例である。
【００２３】
図３は、アドレス付き火災感知器ＳＥ１を示すブロック図である。
【００２４】
アドレス付き火災感知器ＳＥ１は、発光回路３１ａ１と、受光回路３１ａ２と、増幅回路３１ｂと、送信回路４１と、受信回路４２と、定電圧回路５１と、電源回路５２と、充電回路５３と、計時回路６１と、制御回路としてのマイコン７１と、クロック発振回路８１と、アドレス等が格納されるＥＥＰＲＯＭ９１とダイオードブリッジＤＢとを有する。
【００２５】
つまり、実施例１において、発光回路３１ａ１と受光回路３１ａ２とは、火災現象を検出する火災検出手段の例である。送信回路４１は、火災検出手段が火災現象を検出すると、スイッチング動作によって火災信号を出力する火災信号送信手段の例である。また、制御回路７１は、火災発報信号送信手段が火災発報した後に、火災受信機から火災復旧信号を受信したら、火災信号を送信した自己の火災感知器を特定する火災感知器特定信号を送出する火災感知器特定信号送出手段の例である。
【００２６】
次に、実施例１の動作について説明する。
【００２７】
図４は、実施例１の動作を示すフローチャートである。
【００２８】
図５は、実施例１の動作を示すタイムチャートである。
【００２９】
まず、Ｐ型システムＰＳ１において、時刻ｔ１で、アドレス付き火災感知器ＳＥ１が火災検出する（Ｓ１）と、端子Ｃ−Ｌ間をＬｏレベルに保持し（Ｓ２）、火災受信機ＲＥ１は、回線単位で、火災感知器発報を検知する（Ｓ１１）。そして、火災受信機ＲＥ１は、蓄積復旧処理によって、時刻ｔ２〜ｔ３で、発報回線の端子Ｃ−Ｌ間を、Ｈｉレベルに一旦復旧させ（Ｓ１２）、これによって、アドレス付き火災感知器ＳＥ１が復旧する（Ｓ３）。
【００３０】
そして、火災発報したアドレス付き火災感知器ＳＥ１に対して、その火災感知器を特定するアドレスを火災受信機ＲＥ１に返送することを指令するコマンドである「発報火災感知器特定コマンド」を、時刻ｔ４で、火災受信機ＲＥ１が送出する（Ｓ１３）。発報したアドレス付き火災感知器ＳＥ１は、上記「発報火災感知器特定コマンド」を受信すると（Ｓ４）、時刻ｔ５で、そのアドレス付き火災感知器ＳＥ１が応答し（Ｓ５）、自己のアドレスを火災受信機ＲＥ１に返送する。
【００３１】
このアドレス付き火災感知器ＳＥ１の応答によって、火災受信機ＲＥ１は、火災発報したアドレス付き火災感知器ＳＥ１のアドレスを特定し（Ｓ１４）、火災受信機ＲＥ１の受信盤に、どの火災感知器が火災発報したかを表示する（Ｓ１５）。そして、時刻ｔ６で、アドレス付き火災感知器ＳＥ１が、火災を検出していることを示すために、第２報を発生する。
【００３２】
また、上記「発報火災感知器特定コマンド」を送出する場合、火災感知器のアドレス毎に、火災感知器から火災受信機ＲＥ１へ返送するタイミングを規定すれば、複数のアドレス付き火災感知器ＳＥ１が発報した場合でも、複数の発報したアドレス付き火災感知器ＳＥ１のアドレスを、それぞれ特定することができる。
【００３３】
上記実施例によれば、火災受信機ＲＥ１の復旧動作を、火災受信機ＲＥ１と火災感知器ＳＥ１との間におけるタイミングの基準とするので、火災感知器ＳＥ１が伝送信号を送信する場合、火災受信機ＲＥ１が、伝送信号を示すパルスのタイミングを取ることが容易である。
【００３４】
また、上記実施例によれば、複数設けられている火災感知器について、高精度の動作速度を求める必要がない。
【００３５】
さらに、上記実施例によれば、アドレス付き火災感知器ＳＥ１側では、自ら復旧して（火災信号を停止することによって）、伝送信号の送信に備える必要がなく、火災受信機の復旧動作によって、信号線が通常状態に復帰して、伝送信号を送信することができる。
【００３６】
そして、上記実施例によれば、火災受信機が、信号線からの火災信号を、所定の蓄積時間継続することによって、その時点で、火災受信機が火災警報動作を行うことができ、火災発報した火災感知器ＳＥ１のアドレスの取得を、上記火災警報動作の後に実行する。
【００３７】
また、上記実施例によれば、火災受信機が、火災感知器のアドレス情報以外の情報を取得する場合、その旨のコマンド（発報火災感知器特定コマンド以外のコマンド）を送信することによって、それ以外の情報（たとえば、検出値を示すアナログ情報や火災感知器の種別情報等）を収集する場合に対応することができる。
【００３８】
上記実施例によれば、発報火災感知器特定コマンドによって、複数の火災感知器から応答をとることができるので、１つの回線で、複数の火災感知器が発報した場合でも、複数の発報火災感知器を特定することができる。
【００３９】
火災受信機の復旧動作は、火災信号の受信中でも行うことができ、火災受信機が自らの動作を基準として、火災感知器から伝送信号のパルスを受信する。また、火災感知器は、復旧から回線電圧が立ち上がることを基準にして、火災信号を送信した自己の火災感知器を特定する火災感知器特定信号を送出することが可能であるので、火災受信機と火災感知器との間で、復旧信号を基準にして、伝送のタイミングをとり、これによって、正確に情報を受け取ることができる。
【００４０】
なお、一般の火災受信機ＳＥ２からの火災信号の場合、火災受信機ＲＥ１が蓄積復旧後に、発報感知器特定コマンドを送出したとしても、アドレスの返答がないが、一般のＰ型システムとしての火災警報動作が可能であるので、問題にはならない。
【図面の簡単な説明】
【００４１】
【図１】本発明の実施例１であるＰ型システムＰＳ１を示す図である。
【図２】火災受信機ＲＥ１を示すブロック図である。
【図３】アドレス付き火災感知器ＳＥ１を示すブロック図である。
【図４】実施例１の動作を示すフローチャートである。
【図５】実施例１の動作を示すタイムチャートである。
【符号の説明】
【００４２】
ＰＳ１…Ｐ型システム、
ＲＥ１…火災受信機、
ＳＥ１…アドレス付き火災感知器、
ＳＥ２…一般型火災感知器、
Ｔ１…Ｐ型発信器、
１２…信号送信回路、
１３…信号受信回路、
１４…火災検出回路、
４１…送信回路、
７１…制御回路。
【図１】
2006285502.tif 000003
【図２】
2006285502.tif 000004
【図３】
2006285502.tif 000005
【図４】
2006285502.tif 000006
【図５】
2006285502.tif 000007